(57)【要約】【課題】  表示画面上における所定の対象の位置の指定を容易化することができる位置指定方法及び位置指定装置並びに位置指定プログラムを提供する。【解決手段】  マウス等の入力手段を用いて表示画面上における所定の対象の位置指定を行う際に、入力手段を用いたオペレータからの指令に応じておおよその位置を設定する位置粗設定処理と、入力手段を用いたオペレータからの指令に応じて設定したおおよその位置の微調整を行う位置微調整処理とを実行し、位置の指定を二段階の処理に分けて行う。【選択図】  図４
2006139442.tif 000002
【特許請求の範囲】
【請求項１】
マウス等の入力手段を用いて表示画面上における所定の対象の位置指定を行う位置指定方法であって、
前記入力手段を用いたオペレータからの指令に応じておおよその位置を設定する位置粗設定ステップと、
前記入力手段を用いたオペレータからの指令に応じて前記おおよその位置の微調整を行う位置微調整ステップ、を備えた、
ことを特徴とする位置指定方法。
【請求項２】
請求項２に記載の位置指定方法であって、
前記入力手段はマウスであり、
前記位置粗設定ステップは、前記マウスの移動に基づいて行われ、
前記位置微調整ステップは、前記マウスのクリック操作、或いは、前記マウスのホイールの回転操作に基づいて行われる、
ことを特徴とする位置指定方法。
【請求項３】
マウス等の入力手段からの入力に基づいて表示画面上における所定の対象の位置指定を行う位置指定装置であって、
前記入力手段を用いたオペレータからの指令に応じておおよその位置を設定する位置粗設定手段と、
前記入力手段を用いたオペレータからの指令に応じて前記おおよその位置の微調整を行う位置微調整手段を、備えた、
ことを特徴とする位置指定装置。
【請求項４】
請求項３に記載の位置指定装置において、
前記入力手段はマウスであり、
前記位置粗設定手段は、前記マウスの移動に基づいて前記位置を設定し、
前記位置微調整手段は、前記マウスのクリック操作、或いは、前記マウスのホイールの回転操作に基づいて前記微調整を行う、
ことを特徴とする位置指定装置。
【請求項５】
マウス等の入力手段からの入力に基づいて表示画面上における所定の対象の位置指定を行う位置指定装置を構成するコンピュータに実行させるプログラムであって、
前記入力手段を用いたオペレータからの指令に応じておおよその位置を設定する位置粗設定機能と、
前記入力手段を用いたオペレータからの指令に応じて前記おおよその位置の微調整を行う位置微調整機能を、当該コンピュータにより実現する、
ことを特徴とするプログラム。
【請求項６】
請求項５に記載のプログラムにおいて、
前記入力手段はマウスであり、
前記位置粗設定機能は、前記マウスの移動に基づいて実現され、
前記位置微調整機能は、前記マウスのクリック操作、或いは、前記マウスのホイールの回転操作に基づいて実現される、
ことを特徴とするプログラム。
【発明の詳細な説明】
【技術分野】
【０００１】
本発明は、表示画面上における所定の対象の位置指定を行う位置指定方法及び位置指定装置並びに位置指定プログラムに関し、特に、位置の指定を容易化した位置指定方法及び位置指定装置並びに位置指定プログラムに関する。
【背景技術】
【０００２】
従来のラインセンサカメラを使用した着順判定装置は、ゴールライン等の判定基準線上を通過する移動体を、前記判定基準線に正確に一致させたラインセンサカメラを用いて撮像し、該ラインセンサカメラの出力である一次元の映像信号を走査変換機能を有する画像記憶部に入力し、着順判定用画像にタイムマーカやレース名を重畳して記録し、読み出して、モニタに出力して表示し、また印刷して着順を判定する（例えば、特許文献１参照。）。着順判定装置を使用するものとしては、例えば、競艇、競馬、競輪、陸上競技等がある。
【０００３】
ここで、着順判定装置においては、ボート、馬、自転車、走者等の移動体の着順やタイムや速度等を判定するために、モニタ画面上の垂直方向に判定線を表示して、それを移動体の先端に合わせる、といった作業を人間が行う必要がある（例えば、特許文献２参照。）。
【０００４】
次に、従来例として、マウスを用いて、ディスプレイ画面上で測定位置の指定を行い、測定した位置を表示するシステムについて説明する。
従来例のシステム構成について、図１を用いて説明する。従来例のシステムは、パーソナルコンピュータ（以下では、パソコンと称する。）１０１、パソコン用ディスプレイ（以下では、モニタと称する）１０２、キーボード１０３、マウス１０４で構成される。マウス１０４は、マウス右ボタン１０５と、マウス左ボタン１０６の２つのボタンにより構成される。パソコン１０１は、ＯＳ（オペレーションシステム）の起動、位置測定用のソフトウエアの起動、位置測定用ソフトウエアの制御等を行うものである。モニタ１０２は、パソコンのディスプレイ出力信号を受け取り、画面表示を行うものである。キーボード１０３は、各種キー入力を行うものである。
【０００５】
次に、図１や図２及び図３を参照して、従来の位置測定の流れについて説明する。
図２は、位置測定ソフトウエアによる画面構成を表したものである。
パソコン１０１を起動すると、位置測定ソフトウエアが起動され、モニタ１０２に図２の画面が表示される。モニタ１０２上に表示される画面は、測定対象画面２０１、測定対象２０２、マウスカーソル２０３、測定ライン（判定線）２０４、測定結果表示部分２０５で構成される。
【０００６】
図３は、従来の位置測定処理のフローチャートを示したものである。
まず、パソコン１０１に接続されているマウス１０４をオペレータが手動操作し、マウス１０４を移動することにより、マウスカーソル２０３及び測定ライン２０４を、測定対象物２０２の測定位置（例えば、先端）に移動する（ステップＳ３０１）。ここで、測定ライン２０４はマウスカーソル２０３の先端位置に位置し、マウスの移動に合わせて測定ラインの位置も移動するものとする。次に、マウス１０４のマウス左ボタン１０６をクリックし、ステップＳ３０１で指定したマウスカーソル２０３及び測定ライン２０４の位置を確定する（ステップＳ３０２）。次に、ステップＳ３０２で確定されたマウスカーソル２０３及び測定ライン２０４の位置を測定結果表示部分２０５に表示する（ステップＳ３０３）。
【特許文献１】特開平７−３２０１０７号公報
【特許文献２】特開平８−２３７６４５号公報
【発明の開示】
【発明が解決しようとする課題】
【０００７】
しかしながら、上記のような従来例では、以下のような問題があった。
即ち、マウス１０４を手動操作することにより位置指定を行うため、測定位置を微小移動するのが非常に困難であるという問題があった。また、複数の測定対象物がある場合において、測定対象物の位置が他の測定対象物の位置と非常に近かった場合（例えば数画素しか変わらなかった場合）には、測定位置が同一の値となってしまうという問題があった。
【０００８】
本発明は、このような従来の事情に鑑み為されたもので、例えば、位置の指定を二段階で行うことにより、位置の指定を容易化することができる位置指定方法及び位置指定装置並びに位置指定プログラムを提供することを目的とする。
【課題を解決するための手段】
【０００９】
上記目的を達成するため、本発明に係る位置指定方法は、マウス等の入力手段を用いて表示画面上における所定の対象の位置指定を行う位置指定方法であって、前記入力手段を用いたオペレータからの指令に応じておおよその位置を設定する位置粗設定ステップと、前記入力手段を用いたオペレータからの指令に応じて前記おおよその位置の微調整を行う位置微調整ステップを備えた。
【００１０】
また、本発明に係る位置指定方法において、前記入力手段はマウスであり、前記位置粗設定ステップは、前記マウスの移動に基づいて行われ、前記位置微調整ステップは、前記マウスのクリック操作、或いは、前記マウスのホイールの回転操作に基づいて行われる。
【００１１】
上記目的を達成するため、本発明に係る位置指定装置は、マウス等の入力手段からの入力に基づいて表示画面上における所定の対象の位置指定を行う位置指定装置であって、前記入力手段を用いたオペレータからの指令に応じておおよその位置を設定する位置粗設定手段と、前記入力手段を用いたオペレータからの指令に応じて前記おおよその位置の微調整を行う位置微調整手段を備えた。
【００１２】
また、本発明に係る位置指定装置において、前記入力手段はマウスであり、前記位置粗設定手段は、前記マウスの移動に基づいて前記位置を設定し、前記位置微調整手段は、前記マウスのクリック操作、或いは、前記マウスのホイールの回転操作に基づいて前記微調整を行う。
【００１３】
上記目的を達成するため、本発明に係る位置指定プログラムは、マウス等の入力手段からの入力に基づいて表示画面上における所定の対象の位置指定を行う位置指定装置を構成するコンピュータに実行させるプログラムであって、前記入力手段を用いたオペレータからの指令に応じておおよその位置を設定する位置粗設定機能と、前記入力手段を用いたオペレータからの指令に応じて前記おおよその位置の微調整を行う位置微調整機能を当該コンピュータにより実現する。
【００１４】
また、本発明に係る位置指定プログラムにおいて、前記入力手段はマウスであり、前記位置粗設定機能は、前記マウスの移動に基づいて実現され、前記位置微調整機能は、前記マウスのクリック操作、或いは、前記マウスのホイールの回転操作に基づいて実現される。
【発明の効果】
【００１５】
以上のように、本発明によると、例えば、位置の指定を二段階で行うことにより、位置の指定をオペレータにとって容易化することができる。
【発明を実施するための最良の形態】
【００１６】
以下、本発明に係る実施例を図面を参照して説明する。
まず、本発明の一実施例に係る位置指定システムの構成例は、図１と同様であるため詳細な説明は省略する。
【００１７】
次に、図１や図２及び図４を参照して、本発明の一実施例に係る位置測定の流れについて説明する。なお、画面構成例については、図２と同様であるため詳細な説明は省略する。
【００１８】
図４は、本発明の一実施例に係る位置測定のフローチャートを示したものである。
まず、パソコン１０１（位置指定装置）に接続されているマウス１０４をオペレータが手動操作し、マウス１０４を移動することにより、マウスカーソル２０３及び測定ライン２０４を測定対象物２０２の測定位置（例えば、先端）に移動する（ステップＳ３０１）。ここで、測定ライン２０４はマウスカーソル２０３の先端位置に位置し、マウスの移動に合わせて測定ラインの位置も移動するものとする。次に、マウス１０４のマウス左ボタン１０６をクリックし、マウス移動ステップ３０１で指定したマウスカーソル２０３及び測定ライン２０４の位置を粗設定時の測定位置として登録し、粗設定モードから微調整モードに移行する（ステップＳ４０１）。微調整モード移行後は、マウス１０４を手動操作し移動した場合、マウスカーソル２０３は移動するが測定ライン２０４は固定されたままとなる。なお、上記した実施例では、マウス１０４を移動し（ステップＳ３０１）、マウス左ボタン１０６をクリックする（ステップＳ４０１）ことにより測定ライン２０４の粗設定時の測定位置を登録しているが、例えば、測定ライン２０４をマウス１０４でドラッグ＆ドロップすることにより、粗設定時の測定位置を登録するようにしてもよい。
【００１９】
次に、マウス１０４のマウス左ボタン１０６をクリックすることにより、測定ライン２０４が左側に１画素移動し、逆にマウス右ボタン１０５をクリックすることにより、測定ライン２０４が右側に１画素移動する。これにより、測定位置を微調整することが可能となる（ステップＳ４０２）。次に、マウス左ボタン１０６をダブルクリックすることにより、ステップＳ４０２で指定した測定ライン２０４の位置を確定する（ステップＳ４０３）。なお、マウス左ボタン１０６をダブルクリックすることにより測定ライン２０４の位置を確定する以外にも、例えば、モニタ１０２の画面上に表示された位置確定ボタン（不図示）にマウスカーソル２０３を合わせてマウス左ボタン１０６をクリックすることにより測定ライン２０４の位置を確定するようにしてもよい。次に、ステップＳ４０３で確定された測定ライン２０４の位置に基づいて測定結果、例えば、測定対象画面２０１の左端からの測定ライン２０４の位置を測定結果表示部分２０５に表示する（ステップＳ３０３）。
【００２０】
従って、本実施例の位置指定方法や位置指定装置では、マウスを手動操作することによりマウスを移動し測定位置をおおまかに指定する粗設定ステップと、マウスの左ボタンや右ボタンをクリックすることにより指定位置の微調整を行うステップとの二段階で測定位置の指定を行うことにより、測定位置の微小移動を行うことが可能である。これにより、測定位置を精度良く設定することが可能となり、測定位置の精度を向上することができる。
【００２１】
また、本実施例の位置指定方法や位置指定装置では、上記の二段階のステップを例えば、マウスのみの操作で実現することにより、位置の指定をオペレータにとって容易化することができる。上記の二段階のステップと同様の処理は、例えば、キーボードの「左」キーや「右」キーを用いることによっても実現することができるが、本実施例のようにマウスの移動とマウスのクリックにより位置の指定操作を行う構成であると、オペレータは容易にかつ素早く位置の指定を行うことが可能となる。
【００２２】
なお、本実施例では、外部入力装置としてマウスを用いる構成を示したが、ジョイスティック、ゲームコントローラ等のボタンが２つ以上ある他の種々な外部入力装置が用いられてもよい。
【００２３】
また、本実施例では、測定位置の微調整をマウス右ボタン１０５やマウス左ボタン１０６で行う構成を示したが、他の構成例として、ホイールマウス（マウス右ボタン１０５、中央にあるホイール（スクロールボタン）、マウス左ボタン１０６で構成されるマウス）の場合、マウスのホイールを回転させることにより測定位置の微調整を行うようにしてもよい。例えば、前にホイールを回転したときには測定ライン２０４が左側に１画素移動するように設定し、逆に後ろにホイールを回転したときには測定ライン２０４が右側に１画素移動するように設定する。
【００２４】
また、本実施例では、測定位置の微調整を行う際に、マウス右ボタン１０５やマウス左ボタン１０６をクリックして移動する量を１画素とする構成を示したが、移動量はこれに限られず、例えば、測定に必要とされる精度等に応じて種々な値を用いることが可能である。
【００２５】
ここで、本発明に係る位置指定方法などの態様や位置指定装置や位置指定システムなどの構成としては、必ずしも以上に示したものに限られず、種々な態様や構成が用いられてもよい。また、本発明は、例えば、本発明に係る処理を実行する方法或いは方式や、このような方法や方式を実現するためのプログラムや当該プログラムを記録する記録媒体などとして提供することが可能であり、また、種々な装置やシステムとして提供することも可能である。
【００２６】
また、本発明の適用分野としては、必ずしも以上に示したものに限られず、本発明は、種々な分野に適用することが可能なものである。例えば、着順判定装置における判定線の位置を指定する場面以外にも、モニタ画面上において所定の線などの位置を指定する種々な場面において本発明を適用することが可能である。
【００２７】
また、本発明に係る位置指定方法や位置指定装置や位置指定システムなどにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
【００２８】
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することができ、当該制御プログラムを当該記録媒体からコンピュータに入力してプロセッサに実行させることにより、本発明に係る処理を遂行させることができる。
【図面の簡単な説明】
【００２９】
【図１】位置測定システムの構成例を示す図である。
【図２】位置測定システムの表示画面の一例を示す図である。
【図３】位置測定処理の手順の一例を示す図である。
【図４】本発明の一実施例に係る位置測定処理の手順の一例を示す図である。
【符号の説明】
【００３０】
１０１：パソコン、１０２：パソコン用ディスプレイ、１０３：キーボード、１０４：マウス、１０５：マウス右ボタン、１０６：マウス左ボタン、２０１：測定対象画像、２０２：測定対象物、２０３：マウスカーソル、２０４：測定ライン、２０５：測定結果表示部分。
【図１】
2006139442.tif 000003
【図２】
2006139442.tif 000004
【図３】
2006139442.tif 000005
【図４】
2006139442.tif 000006